(57)【特許請求の範囲】
【請求項１】
駆動源により回転駆動する駆動軸の設けられたウインチ本体と、該駆動軸に取り付けられた巻回ドラムと、ロープを前記巻回ドラムの外周面に形成された溝に取り入れ及び取り出し移動すべく巻回ドラムの近傍で前記ウインチ本体に回転自在に軸支した一対の案内ローラと、ロープを溝側に押圧すべくロープの巻回された溝部分に沿って設けられた移動用ローラ体とから構成されたエンドレス方式のウインチにおいて、前記案内ローラを軸支する支軸には、一端側に押圧ローラを回転自在に軸支し、他端側に該押圧ローラをロープ側に付勢すべく弾性体が連結された揺動板が遊嵌状態で取り付けられていることで、該揺動板が溝側への回転移動と上下方向への移動との組み合わせによる揺動移動を行うことを特徴とするエンドレス方式のウインチ。
【請求項２】
ウインチ本体に設けられた駆動軸を駆動源で回転駆動し、該駆動軸に取り付けられた巻回ドラムを回転することで、該巻回ドラムの外周面に形成された溝に一方の案内ローラを介して取り入れられたロープを移動用ローラで溝側へ押圧しながら他方の案内ローラを介して取り出し移動するエンドレス方式のウインチを用いたロープの移動方法において、一方の案内ローラでロープを溝に取り入れる際、又は他方の案内ローラでロープを溝より取り出す際、ロープにかかるテンションの強弱に応じて案内ローラの支軸に遊嵌された揺動板を弾性体で付勢することで溝側への回転移動と上下方向への移動との組み合わせで揺動し、該揺動板に取り付けられた押圧ローラを溝側に押圧しながらロープを誘導移動し、ロープの弛み、撓み及び捩じれに対応して取り入れ、又は取り出し移動することを特徴とするエンドレス方式のウインチを用いたロープの移動方法。
【発明の詳細な説明】
【発明の詳細な説明】
【技術分野】
【０００１】本発明は、主に屋内外の施設でネット又はテント用のシートに連結したロープを移動するのに使用、又はゴンドラの昇降用のロープの移動として使用するエンドレス方式のウインチ、及び該エンドレス方式のウインチを用いたロープの移動方法に関する。【０００２】従来、球技用の防球ネットの移動用に使用するエンドレス方式のウインチは、モータ等の駆動源に直接、又は増減速機構を介して連結する駆動軸の設けられた矩形状のウインチ本体と、該駆動軸に固定状態で取り付けられ、外周面に沿ってループの溝の形成された円形状の巻回ドラムと、該巻回ドラムの近傍でウインチ本体に並行位置で回転自在に軸支し、ネットに連結されたロープ（本発明でロープとは、一般的に使用されるワイヤロープ、樹脂性ロープ等の総称である）を溝に取り入れ及び溝より取り出し移動する一対の案内ローラと、該一方の案内ローラより取り入れ移動及び他方の案内ローラより取り出し移動し、巻回ドラムに巻回されたロープを溝側に押圧し、巻回ドラムの回転方向に沿って移動する移動用ローラとから構成されている。【０００３】前記エンドレス方式のウインチは、駆動源で駆動軸を回転駆動し、該駆動軸に取り付けられた巻回ドラムを回転した状態で、一方の案内ローラを介してロープを巻回ドラムの溝に取り入れ、溝に沿って移動用ローラで押圧しながらロープを溝に巻回移動し、他方の案内ローラ側よりロープを取り出すように、ネットに連結されたロープをエンドレス状に移動する。【０００４】この際、ロープにはネットの荷重等により溝への取り出し側と取り入れ側でテンションが相違し、ロープに弛み、撓み又は捩じれが発生し易い。【０００５】上記弛み等の解消手段として、移動用ローラの両端側に弾性体を連結する手段が用いられる。即ち、移動用ローラは巻回ドラムの回転方向に引っ張られながら弾性体の付勢で端部ローラを中心に溝側にロープを押圧して溝に沿って移動する。【０００６】また、他の解消手段として、移動用ローラの両端部に別体の押圧部材を取り付け、該押圧部材でロープの溝への取り入れ端部を押圧しながら移動用ローラで溝に沿ってロープを押圧することで解消する。
【発明が解決しようとする課題】
【０００７】しかしながら、上記エンドレス方式のウインチは、案内ローラで溝側へ取り入れられたロープを、移動用ローラの端部ローラ又は押圧部材で強く溝側に押圧するとともに移動用ローラで巻回されたロープを押圧することで、弛み等を強制的に解消しながら溝に巻回するために、ロープが摩耗し易く頻繁なメンテナンス作業を必要とする。
【０００８】また、溝に取り入れられたロープを押圧するために、テンションの強弱に対しては解消することができるものの、ロープの捩じれを十分に解消することができずに溝に巻回されて移動するために、ロープのスムーズな移動ができない。
【０００９】さらに、案内ローラから溝部分までの間で弛んだロープ部分で新たな捩じれが発生する可能性があり、ロープの溝への取り入れが適切に行えないという欠点があった。
【００１０】また、溝よりの取り出し側でもロープにかかるテンションの強弱に応じて弛み等が発生すると、取り出したロープのスムーズな移動ができない欠点があった。
【００１１】そこで、本発明はロープへの負荷が少なく、容易に弛み等を解消することができ、スムーズなロープの移動を可能とするエンドレス方式のウインチ、及び該エンドレス方式のウインチを用いたロープの移動方法を提供することを課題とする。
【課題を解決するための手段】
【００１２】上記課題を解決する本願発明の解決手段としてのエンドレス方式のウインチは、請求項１に記載のように、駆動源により回転駆動する駆動軸の設けられたウインチ本体と、該駆動軸に取り付けられた巻回ドラムと、ロープを前記巻回ドラムの外周面に形成された溝に取り入れ及び取り出し移動すべく巻回ドラムの近傍で前記ウインチ本体に回転自在に軸支した一対の案内ローラと、ロープを溝側に押圧すべくロープの巻回された溝部分に沿って設けられた移動用ローラ体とから構成されたエンドレス方式のウインチにおいて、前記案内ローラを軸支する支軸には、一端側に押圧ローラを回転自在に軸支し、他端側に該押圧ローラをロープ側に付勢すべく弾性体が連結された揺動板が遊嵌状態で取り付けられていることで、該揺動板が溝側への回転移動と上下方向への移動との組み合わせによる揺動移動を行うことを特徴とする。
【００１３】また、上記課題を解決する解決手段としてのエンドレス方式のウインチを用いたロープの移動方法は、請求項２に記載のように、ウインチ本体に設けられた駆動軸を駆動源で回転駆動し、該駆動軸に取り付けられた巻回ドラムを回転することで、該巻回ドラムの外周面に形成された溝に一方の案内ローラを介して取り入れられたロープを移動用ローラで溝側に押圧しながら他方の案内ローラを介して取り出し移動するエンドレス方式のウインチを用いたロープの移動方法において、一方の案内ローラでロープを溝側に取り入れる際、又は他方の案内ローラでロープを溝より取り出す際、ロープにかかるテンションの強弱に応じて案内ローラの支軸に遊嵌された揺動板を弾性体で付勢することで溝側への回転移動と上下方向への移動とを組み合わせで揺動し、該揺動板に取り付けられた押圧ローラを溝側に押圧しながらロープを誘導移動し、ロープの弛み、撓み又は捩じれに対応して取り入れ、又は取り出し移動することを特徴とする。
【発明の作用効果】
【００１４】本発明の球技用のエンドレス方式のウインチ及び該エンドレス方式のウインチを用いたロープの移動方法の作用効果について説明する。
【００１５】請求項１に記載のエンドレス方式のウインチは、先ず駆動源で駆動軸を回転駆動し、該駆動軸に取り付けられた巻回ドラムを回転した状態で、ネット等に連結したロープを一方の案内ローラよりウインチ本体に取り入れ、巻回ドラムの外周面に形成された溝に沿って巻回した後、他方の案内ローラより取り出し移動することでロープを移動する。
【００１６】この際、前記巻回ドラムの溝に巻回されたロープは、移動用ローラで溝側に押圧しながら移動しているために巻回ドラムの回転が無駄なく伝達することができる。
【００１７】しかしながら、上記ロープはネット等に連結しているために、ロープのウインチ本体への取り入れ側と取り出し側ではロープにかかるテンションが相違し、テンションの弱い側ではロープの弛み等を発生し易い。
【００１８】そこで、案内ローラの支軸に遊嵌状態で取り付けた揺動板に回転自在に軸支した押圧ローラを弾性体で付勢することで溝側に押圧移動する。これにより、案内ローラを回転しロープにかかるテンションの強弱に応じて揺動板を支軸に対して適切に揺動しながら押圧移動してロープを取り入れ、又はロープにかかるテンションの強弱に応じて揺動板を支軸に対して適切に揺動しながら押圧移動して案内ローラを回転してロープを取り出すことで、ロープの弛み等を揺動板部分で解消し、且つロープを誘導移動することができる。
【００１９】即ち、ロープにかかるテンションが強い場合は、ロープは案内ローラから巻回ドラムの溝までが直線状に引っ張られ、揺動板の揺動移動が少なく押圧ローラでロープを適切に押圧して溝へ誘導し、ロープにかかるテンションが弱い場合は、揺動板の揺動移動を大きくしてロープを直線状に引っ張り押圧ローラでロープを強く押圧して溝に誘導する。
【００２０】このように、案内ローラより取り入れるロープ、及び案内ローラより取り出されるロープは、揺動板の揺動で常に直線状に維持することができ、適切に、且つスムーズに移動することができる。
【００２１】また、弛み等を解消した状態でロープは溝に沿ってスムーズに巻回移動し、他方の案内ローラより取り出し移動することができる。
【００２２】さらに、ロープは弛み等を解消して溝に巻回されているために、強く溝側にロープを押圧することなく、ロープの摩耗が少ない。
【００２３】次に、請求項２に記載のエンドレス方式のウインチを用いたロープの移動方法は、先ず駆動源によりウインチ本体に設けられた駆動軸を回転駆動し、駆動軸に取り付けられた巻回ドラムを回転駆動し、巻回ドラムの溝にウインチ本体に軸支した一方の案内ローラを介してロープを取り入れ、溝に沿ってロープを巻回した後、ウインチ本体に軸支した他方の案内ローラよりロープを取り出し移動する。
【００２４】上記一方の案内ローラよりロープを巻回ドラムの溝に取り入れる際、前記一方の案内ローラの支軸に遊嵌された揺動板を弾性体で付勢することで、案内ローラの回転で取り入れられたロープは、テンションの強弱に応じて揺動板を揺動し、該揺動板に取り付けられた押圧ローラを溝側に適切に押圧移動して、ロープを直線状に誘導して弛み等を解消しながら溝に取り入れるように誘導する。
【００２５】上記テンションの強弱に応じてとは、テンションの強い場合は、揺動板の揺動移動が少なく押圧ローラの押圧移動も少なく、テンションの弱い場合は、揺動板の揺動移動が大きく押圧ローラの押圧移動も大きい。
【００２６】そのため、溝に取り入れたロープは、移動用ローラで溝側に適切に押圧しながら溝に沿ってスムーズに巻回移動することができる。
【００２７】また、ロープの取り出し側でも同様にテンションの強弱に応じて、溝に巻回されたロープを移動用ローラで溝側に押圧しながら端部のローラ部分より取り出すとともに、他方の案内ローラの支軸に遊嵌された揺動板を弾性体で付勢することで該揺動板に取り付けられた押圧ローラを上記移動用ローラと連動して溝側に適切に押圧しながら案内ローラを介してロープを取り出し移動する。
【００２８】この際も、取り出されたロープにかかるテンションの強弱（テンションが強い場合は、揺動板の揺動移動が少なく、テンションが弱い場合は、揺動板の揺動移動が大きく）に応じて揺動板を揺動する。
【００２９】このように、本発明のエンドレス方式のウインチを用いたロープの移動方法は、ロープの弛み等を溝に取り入れる前に解消して溝へ誘導することができ、また、ロープの弛み等を溝より取り出す際に解消することができ、スムーズなロープの移動を可能とする。
【００３０】また、案内ローラが固定された支軸で回転してロープを取り入れ、揺動板は該支軸に対して揺動移動するために、押圧ローラによる押圧調整が容易でテンションの強弱に容易に対応することができる。
【００３１】また、このようにロープの移動が容易で、スムーズに行えるために、ロープ
の摩耗が少なく、従来のような頻繁なメンテナンス作業を必要としない。
【発明を実施するための最良の形態】
【００３２】次に、本発明のエンドレス方式のウインチ、及び該エンドレス方式のウインチを用いたロープの移動方法について図面を参照して説明する。【００３３】図１は本発明のエンドレス方式のウインチの実施例を示す概略説明平面図であり、図２、図３は図１の揺動体の移動を示す概略説明平面図であり、図４は、揺動体を示す概略説明側面部であり、図５、図６、図７は揺動体の他実施例を示す概略説明平面図であり、図８、図９は本発明のエンドレス方式のウインチを用いたロープの移動方法のフローチャートである。【００３４】本発明のエンドレス方式のウインチ１は、駆動源（電動モータ、手動用ハンドル）に直接又は増速・減速機構を介して連結される駆動軸２と、該駆動軸２を回転自在に軸支した略矩形状のウインチ本体３と、前記駆動軸２に取り付けられ、外周面に沿ってループ状に溝の形成された円形状の巻回ドラム４と、該巻回ドラム４の近傍でウインチ本体３に並行に固定された支軸５に回転自在に取り付けられた一対の案内ローラ６と、一対の案内ローラ６間を除いた巻回ドラム４の溝に沿って取り付けられ、複数個のローラを連結した移動用ローラ７とから構成されている。【００３５】前記案内ローラ６の設けられた支軸５には、案内ローラ６の上下方向に突出した略三角形状の一対の揺動板８が長尺状の孔９を介して遊嵌状態で取り付けられ、該揺動板８の巻回ドラム４側（以下、一方側と記載）には押圧ローラ１０を回転自在に軸支し、ロープ２０取り入れ側（以下、他方側と記載）には前記押圧ローラ１０を溝方向に押圧移動する弾性体１１が連結されている。【００３６】尚、前記揺動体８の形状は上記略三角形状に限定されるものでなく、長尺状の形状ならば長方形状でも、半円形状でもよい。要は、一方側に押圧ローラ１０回転自在に軸支でき、他方側に弾性体を連結できるならその形状は特に限定されるものでない。【００３７】また、上記揺動板８も実施例のように上下一対で形成されたものに限定されるものでなく、厚みのある一枚の揺動板８で形成することも可能である。【００３８】また、揺動板８に形成された孔９の形状も実施例のように長孔に限定されるものでなく、略円形状に形成することも可能である。要は、支軸５に遊嵌される形状であれば、特にその形状は限定されるものでない。【００３９】また、前記弾性体１１の揺動板８の他端側への取り付け位置は、ロープ２０の取り入れ方向に並行な位置（Ａ）に取り付けると、揺動板８は孔９に沿った上下方向の移動を主とするとともに支軸５を中心とする回転との組み合わせによる揺動を行い、又ロープ２０の取り入れ方向と交差する位置（Ｂ）に取り付けると、支軸５を中心とする回転を主としながら上下方向の移動との組み合わせによる揺動を行い、さらに、両方の位置（Ａ）、（Ｂ）に取り付けるとさらに微細な揺動（上下方向と回転との）が可能である。【００４０】前記移動用ローラ７の両端側には、弾性体（図示せず）に連結することで、巻回ドラム４の回転方向に沿って所望量移動すべく構成されている。【００４１】尚、上記移動用ローラ７の構成は上記実施例に限定されるものでなく、両端側がウインチ本体３に固定された構成でもよく、又は一方の端部のみ弾性体に連結された構成でもよい。【００４２】本発明のエンドレス方式のウインチ１は上記のように構成され、次に、該エンドレス方式のウインチ１を用いてネットに連結したロープ２０を移動する場合について説明する。【００４３】先ず、各種の防球用ネット（図示せず）に連結したロープ２０を、ウインチ本体３に回転自在に軸支した一方の案内ローラ６を介してウインチ本体３に取り入れる。【００４４】この際、前記案内ローラ６の支軸５には、弾性体１１で溝側に押圧移動する押圧ローラ１０を回転自在に軸支した揺動板８が遊嵌されているために、ロープ２０にかかるテンションの強弱に応じて揺動板８が前記支軸５を中心に溝側への回動移動と孔９に沿う上下方向の移動との組み合わせによる揺動を行い、押圧ローラ１０でロープ２０を適切に押圧しながらロープ２０を溝側に誘導する。【００４５】即ち、例えば取り入れるロープ２０側にかかるテンションが強い場合（ロープが直線状）は、揺動板８は孔９に沿っての上下方向への移動（支軸５に対する孔９の範囲内での移動）と弾性体１１の付勢による回転移動（押圧ローラ１０を軸支した揺動板８の回動移動）との組み合わせによる揺動移動が少なくて（ロープ２０の移動を補助）溝側へ誘導でき、テンションが弱い場合（ロープ２０に弛み等が発生し易い状態）は、案内ローラ６を介して溝側へのロープ２０に撓み、弛み、捩れが発生するために、前記揺動移動を大きく（ロープ２０を押圧して弛み等を解消する移動）してロープ２０を溝側に誘導する。【００４６】このように、揺動板８の揺動を利用してロープ２０の弛み等を予め解消した後、溝へロープ２０を取り入れできるので、溝部分での移動用ローラ１０の押圧が常に一定に行える。【００４７】その後、溝に取り入れられたロープ２０は、端部ローラ７Ａで溝側に押圧されて移動用ローラ７で溝側沿って押圧されながら溝に沿って巻回移動し、他方の案内ローラ８を介してウインチ本体３より取り出し移動される。【００４８】この際、前記ロープ２０の取り入れと同様に、取り出されるロープ２０にかかるテンションの強弱に応じて、案内ローラ６の支軸５に遊嵌された揺動板８を溝側に押圧しながら揺動板８を孔９に沿って移動する揺動を利用してロープ２０を適切に溝より取り出し移動することができる。【００４９】このように、本発明のエンドレス方式のウインチ１は、ロープ２０にかかるテンションの強弱に応じてロープ２０を適切に押圧して溝にロープ２０を誘導することができ、スムーズにロープ２０を移動することができる。【００５０】また、上記テンションの強弱に応じてロープに弛み、撓み又は捩じれが発生しても案内ローラ６と揺動板８の揺動を利用して解消することができる。【００５１】さらに、溝部分での強い押圧を必要としないために、ロープ２０の摩耗が少なく、従来のような頻繁なメンテナンス作業を必要としない。【００５２】また、案内ローラ６が固定位置であるために、揺動板８のテンションの強弱による揺動移動の調整（支軸５を中心として取り入れる及び取り出すロープ２０のテンションの強弱による弛み等に対する押圧ローラ１０の回動及び揺動板８の孔９に沿っての上下方向への移動の組み合わせの調整）が容易であり、ロープ２０をスムーズに誘導移動することができる。
【図面の簡単な説明】
【００５３】
【図１】本発明のエンドレス方式のウインチの実施例を示す概略説明平面図
【図２】図１の揺動板の揺動を示す概略説明平面図
【図３】図１の揺動板の揺動を示す概略説明平面図
【図４】揺動板を示す概略説明側面図
【図５】本発明の揺動板の他実施例を示す概略説明平面図
【図６】本発明の揺動板の他実施例を示す概略説明平面図
【図７】本発明の揺動板の他実施例を示す概略説明平面図
【図８】本発明のエンドレス方式のウインチを用いたロープの移動方法を示すフローチャート
【図９】本発明のエンドレス方式のウインチを用いたロープの移動方法を示すフローチャート
【符号の説明】
【００５４】１−エンドレス方式のウインチ、２−駆動軸、３−ウインチ本体、４−巻回ドラム、６−案内ローラ、８−揺動板
【要約】
【課題】本発明は、ロープにかかるテンションの強弱に応じてスムーズにロープを移動することができ、しかも安全性に優れメンテナンス作業を必要としないエンドレス方式のウインチ、及びエンドレス方式のウインチを用いたロープの移動方法を提供することを課題とする。
【解決手段】駆動源により回転駆動する駆動軸の設けられたウインチ本体と、該駆動軸に取り付けられた巻回ドラムと、ロープを前記巻回ドラムの外周面に形成された溝に取り入れ及び取り出し移動すべく巻回ドラムの近傍で前記ウインチ本体に回転自在に軸支した一対の案内ローラと、ロープを溝側に押圧すべくロープの巻回された溝部分に沿って設けられた移動用ローラとから構成されたエンドレス方式のウインチにおいて、前記案内ローラを軸支する支軸には、一端側に押圧ローラを回転自在に軸支し、他端側に該押圧ローラをロープ側に付勢すべく弾性体が連結された揺動板が遊嵌状態で取り付けられている。
【選択図】図１【図１】
0005733652.tif 000002
【図２】
0005733652.tif 000003
【図３】
0005733652.tif 000004
【図４】
0005733652.tif 000005
【図５】
0005733652.tif 000006
【図６】
0005733652.tif 000007
【図７】
0005733652.tif 000008
【図８】
0005733652.tif 000009
【図９】
0005733652.tif 000010